(57)【要約】【課題】薄型で、軽量、かつ両面吸収が可能であり、ホットメルトを使わずに起毛した不織布間にＳＡＰを担持させることで、肌に触れる面もＳＡＰによる凹凸の影響を受けにくい、アウターの吸収性能を補完することに優れた吸収性物品を提供する。【解決手段】本発明の吸収性物品１は、液透過性のトップシート１０と、液透過性のバックシート２０と、トップシート１０とバックシート２０の間に吸収層を有し、吸収層は、トップシート１０側に位置し、バックシート２０側表面が起毛した第１基体不織布３１と、第１基体不織布３１の起毛した部分の繊維間に固着担持された第１高吸収性ポリマー３２を有する第１吸収体３０と、バックシート２０側に位置し、トップシート１０側表面が起毛した第２基体不織布５１と、第２基体不織布５１の起毛した部分の繊維間に固着担持された第２高吸収性ポリマー５２を有する第２吸収体５０と、を有する。【選択図】図２
2020120937.tif 000002
【特許請求の範囲】
【請求項１】
液透過性のトップシートと、液透過性のバックシートと、前記トップシートと前記バックシートの間に吸収層を設けた吸収性物品であって、
前記吸収層は、前記トップシート側に位置し、前記バックシート側表面が起毛した第１基体不織布と、前記第１基体不織布の起毛した部分の繊維間に固着担持された第１高吸収性ポリマーを有する第１吸収体と、
前記バックシート側に位置し、前記トップシート側表面が起毛した第２基体不織布と、前記第２基体不織布の起毛した部分の繊維間に固着担持された第２高吸収性ポリマーを有する第２吸収体と、
を有することを特徴とする吸収性物品
【請求項２】
前記第１及び第２基体不織布がエアスルー不織布であり、
前記第１及び第２基体不織布の坪量が、２０ｇ／ｍ２以上２００ｇ／ｍ２以下であり、
前記第１及び第２基体不織布の厚さは、０．３ｍｍ以上１１．０ｍｍ以下であり、
前記第１及び第２基体不織布を構成する繊維の太さが、１．６ｄｔｅｘ以上１４ｄｔｅｘ以下である、請求項１に記載の吸収性物品。
【請求項３】
前記第１及び第２高吸収性ポリマーの坪量が２００ｇ／ｍ２以上１２００ｇ／ｍ２以下である、請求項１又は請求項２に記載の吸収性物品。
【請求項４】
前記第１及び第２高吸収性ポリマーが、ホットメルト接着剤により、前記第１及び第２基体不織布の起毛した部分の繊維間に固着担持されており、該ホットメルト接着剤の含有量が１０ｇ／ｍ２以下である、請求項１から請求項３のいずれか１項に記載の吸収性物品。
【発明の詳細な説明】
【技術分野】
【０００１】
本発明は、薄型、軽量でしかも吸収性に優れた両面吸収可能な吸収性物品に関する。
【背景技術】
【０００２】
従来から、主にフラッフパルプと高吸収性ポリマー（ｓｕｐｅｒａｂｓｏｒｂｅｎｔ ｐｏｌｙｍｅｒ，ＳＡＰ）を含む吸収体で構成されており、両面から尿等を吸収可能であり、かつ吸収量を増大させつつ排尿後の逆戻りを少なくした吸収性物品は、両面吸収パッドとして用いられている。
【０００３】
また、不織布状以外のパルプ繊維を含まない吸収用積層体であって、２枚の不織布が不織布間に設けられたホットメルト接着剤からなる網状体層によって接着されており、ホットメルト接着剤にＳＡＰが付着してなる使い捨て製品の吸収用積層体が開発されている。
両面パッド、ＳＡＰシートが含まれる吸収性物品について、以下の先行技術がある。
【０００４】
特開文献１は、両面吸収パッドであって、主にフラッフパルプとＳＡＰを含む吸収体で構成されており、両面から尿等を吸収可能で、ＳＡＰ吸収量を増大させつつ排尿後の逆戻りを少なくした吸水性物品が開示されている。
特開文献２は、超薄型で、吸水後に型くずれを起こさず、しかも吸収能力を十分発揮しうる形態の吸収用積層体が開示されている。
【先行技術文献】
【特許文献】
【０００５】
【特許文献１】特開２０１５−  ５８１７４号公報
【特許文献２】特開２０００−２３８１６１号公報
【発明の概要】
【発明が解決しようとする課題】
【０００６】
しかしながら、特開文献１は、両面であってもフラッフを含むことにより厚型になり、装着感を損ねてしまう。
また、特開文献２は、薄型であっても片面のみの吸収であるので、吸収性能が十分ではないこと、ホットメルトを使用していることで硬い吸収体となり、装着感を損ねてしまうことが問題であり、満足いくものではない。
【０００７】
そこで、本発明は、上記問題点に鑑みなされたものであって、フラッフパルプを含まない吸収体からなり、薄型で、複数を重ねて使用しても装着感を損ねることがなく、軽量、かつ両面吸収が可能であり、ホットメルトを使わずに起毛した不織布間にＳＡＰを担持させることで、肌に触れる面もＳＡＰによる凹凸の影響を受けにくい、アウターの吸収性能を補完することに優れた吸収性物品を提供することを目的とする。
【課題を解決するための手段】
【０００８】
本発明の発明者らは、上記課題に鑑み、鋭意研究を行った。その結果、衣類側表面が起毛した第１基体不織布と、第１基体不織布の起毛した部分の繊維間に固着担持された第１高吸収性ポリマーとを有する第１吸収体と、身体側表面が起毛した第２基体不織布と、第２基体不織布の起毛した部分の繊維間に固着担持された第２高吸収性ポリマーとを有する第２吸収体と、を設けることにより、上記課題を解決できることを見出し、本発明を完成するに至った。具体的には、本発明は、以下のものを提供する。
【０００９】
（１）本発明の第１の態様は、液透過性のトップシートと、液透過性のバックシートと、前記トップシートと前記バックシートの間に吸収層を設けた吸収性物品であって、前記吸収層は、前記トップシート側に位置し、前記バックシート側表面が起毛した第１基体不織布と、前記第１基体不織布の起毛した部分の繊維間に固着担持された第１高吸収性ポリマーを有する第１吸収体と、前記バックシート側に位置し、前記トップシート側表面が起毛した第２基体不織布と、前記第２基体不織布の起毛した部分の繊維間に固着担持された第２高吸収性ポリマーを有する第２吸収体と、を有することを特徴とする吸収性物品である。
【００１０】
（２）本発明の第２の態様は、（１）に記載の吸収性物品であって、前記第１及び第２基体不織布がエアスルー不織布であり、前記第１及び第２基体不織布の坪量が、２０ｇ／ｍ２以上２００ｇ／ｍ２以下であり、前記第１及び第２基体不織布の厚さは、０．３ｍｍ以上１１．０ｍｍ以下であり、前記第１及び第２基体不織布を構成する繊維の太さが、１．６ｄｔｅｘ以上１４ｄｔｅｘ以下であることを特徴とするものである。
【００１１】
（３）本発明の第３の態様は、（１）又は（２）に記載の吸収性物品であって、前記第１及び第２高吸収性ポリマーの坪量が２００ｇ／ｍ２以上１２００ｇ／ｍ２以下であることを特徴とするものである。
【００１２】
（４）本発明の第４の態様は、（１）から（３）のいずれかに記載の吸収性物品であって、前記第１及び第２高吸収性ポリマーが、ホットメルト接着剤により、前記第１及び第２基体不織布の起毛した部分の繊維間に固着担持されており、該ホットメルト接着剤の含有量が１０ｇ／ｍ２以下であることを特徴とするものである。
【発明の効果】
【００１３】
本発明によれば、薄型で、複数を重ねて使用しても装着感を損ねることがなく、軽量、かつ両面吸収が可能であり、ホットメルトを使わずに起毛した不織布間にＳＡＰを担持させることで、肌に触れる面もＳＡＰによる凹凸の影響を受けにくい、アウターの吸収性能を補完することに優れた吸収性物品を提供することができる。
【図面の簡単な説明】
【００１４】
【図１】本発明の実施形態に係る吸収性物品の平面図であり、
【図２】図１のＸ１−Ｘ１断面図である。
【発明を実施するための形態】
【００１５】
以下、本発明について、詳細に説明する。
【００１６】
＜吸収性物品＞
本発明の実施形態に係る吸収性物品１としては、軽失禁パッドが例示されるが、本発明の吸収性物品１はこれに限定されるものではなく、軽失禁ライナー、生理用ナプキン、その他の吸収性物品であってもよい。
図１は、本発明の実施形態に係る吸収性物品１の平面図であり、図２は、図１のＸ１−Ｘ１断面図である。吸収性物品１は、図１に示すように、身体側表面に配置された液透過性のトップシート１０と、トップシート１０に対向し、衣類側表面に配置された液不透過性のバックシート２０と、トップシート１０及びバックシート２０の間に配置された吸収層と、を備える。これにより、吸収層は、トップシート１０とバックシート２０との間に挟まれた構造となっている。
具体的には、吸収層は、トップシート１０側から順に、第１吸収体３０と、第２吸収体５０と、を含む構造となっている。
【００１７】
本明細書の説明において、吸収性物品１の長手方向とは、吸収性物品１が着用されたときに着用者の前後に亘る方向であり、図中、符号Ｙで示す方向である。また、吸収性物品１の幅方向とは、長手方向に対して横又は直交する方向であり、図中、符号Ｘで示す方向である。さらに、本明細書の説明において、身体側表面とは、各部材の表裏両面のうち、着用時に着用者の肌側に配される面を指し、衣類側表面とは、各部材の表裏両面のうち、着用時に着用者の肌側とは反対側に向けられる面を指す。
【００１８】
吸収性物品１の、長手方向の寸法は１００ｍｍ以上６００ｍｍ以下、幅方向の寸法は３０ｍｍ以上２００ｍｍ以下、であることが好ましい。吸収性物品１の寸法を上記の範囲に調整することにより、軽失禁パッド、軽失禁ライナー、生理用ナプキンや比較的小型の尿とりパッド等に適した吸収性物品１を得ることができる。
【００１９】
［トップシート］
トップシート１０は、吸収体３０に向けて体液を速やかに通過させる液透過性のものであり、吸収体３０を挟んで、バックシート２０に対向して配置される。トップシート１０は、肌と当接するシートとなることから、柔らかな感触で、肌に刺激を与えないような性質を有する、親水性エアスルー不織布を代表とする親水性サーマルボンド不織布、親水性スパンボンド不織布等の親水性不織布、サーマルボンド／スパンボンドを積層した複合不織布、開口ポリエチレンフィルム等の開口性フィルム、ウレタンフォーム等の発泡フィルム又はこれらを積層した複合シートから形成され、これらの中でも、嵩高さを得やすく、柔軟性に優れた親水性サーマルボンド不織布又は親水性スパンボンド不織布を用いることが好ましい。
なお、トップシート１０は、単層であっても、複数層積層していてもよく、ドライタッチ性を付与するために多数の透孔が形成されていてもよい。
【００２０】
トップシート１０の坪量は、加工性及び強度の点から、１３ｇ／ｍ２以上４０ｇ／ｍ２以下であることが好ましい。トップシート１０には、肌への刺激を低減させるために、ローション、酸化防止剤、抗炎症成分、ｐＨ調整剤、抗菌剤、保湿剤等を塗布してもよい。
【００２１】
［バックシート］
本発明に用いるバックシート２０としては、液不透過性を有し、かつ、遮水性を有するシート材が用いられるが、ムレ防止のために透湿性を有していてもよい。このような特性を有するバックシート２０の材料としては、例えば、ポリエチレンシートやポリエチレンラミネート不織布等の厚みの薄いプラスチックシートを挙げることができる。なお、バックシート２０の坪量は、加工性及び強度の点から、１５ｇ／ｍ２以上６０ｇ／ｍ２以下であることが好ましい。
【００２２】
なお、図示しないが、バックシート２０の衣類側表面には、着用時に下着等に吸収性物品１を固着するための粘着剤層が設けられていてもよい。また、吸収性物品１が粘着剤層を有する場合、粘着剤層を保護するための剥離シートを有していてもよく、この剥離シートは、吸収性物品１の包装シートと部分的に接合されていてもよい。
【００２３】
［吸収層］
本発明の吸収性物品１に用いる吸収層は、図２に示すようにトップシート１０側に位置する第１吸収体３０と、バックシート２０側に位置する第２吸収体５０と、を含む構造となっている。
そして、第１吸収体３０は、衣類側（バックシート２０側）表面が起毛した第１基体不織布３１と、第１基体不織布３１の起毛した部分の繊維間に固着担持された第１高吸収性ポリマー３２と、を有する。
第２吸収体５０は、身体側（トップシート１０側）表面が起毛した第２基体不織布５１と、第２基体不織布５１の起毛した部分の繊維間に固着担持された第２高吸収性ポリマー５２と、を有する。
なお、上層吸収体３０及び下層吸収体５０はいずれもフラッフパルプを含有しないため、吸収層が厚くならず、薄型の吸収性物品１を得ることができる。
【００２４】
第１吸収体３０及び第２吸収体５０は、第１基体不織布３１及び第２基体不織布５１の起毛した部分の繊維間に、第１高吸収性ポリマー３２及び第２高吸収性ポリマー５２がそれぞれ分散して固着担持されることにより、各基体不織布の起毛した部分に尿が適度に拡散又は保持されることにより吸収性能が向上し、フラッフパルプを有さなくても十分な吸収性能を有する。
【００２５】
（第１吸収体及び第２吸収体）
図２に示すように、第１吸収体３０は、衣類側表面が起毛した第１基体不織布３１と、第１基体不織布３１の起毛した部分の繊維間に固着担持された第１高吸収性ポリマー３２と、を有し、第２吸収体５０は、身体側表面が起毛した第２基体不織布５１と、第２基体不織布５１の起毛した部分の繊維間に固着担持された第２高吸収性ポリマー５２と、を有する。このように、各基体不織布の起毛した部分の繊維間に各高吸収性ポリマーが分散して固着担持されることにより、各基体不織布の起毛した部分に尿が適度に拡散又は保持されることにより吸収性能が向上し、フラッフパルプを有さなくても十分な吸収性能を有する。また、第１吸収体３０及び第２吸収体５０の、長手方向の寸法は９５ｍｍ以上５５０ｍｍ以下、幅方向の寸法は２５ｍｍ以上１８０ｍｍ以下、であることが好ましい。
【００２６】
（第１基体不織布及び第２基体不織布）
図２に示すように、第１基体不織布３１の衣類側表面及び第２基体不織布５１の身体側表面は起毛した状態である。そのため、不織布本来の嵩高さに加えて、第１吸収体３０及び第２吸収体５０に適度な厚みと柔らかさが付与されることにより、適度なクッション性が発生し、着用時のフィット感を向上することができる。
また、各基体不織布を上記のように起毛させることにより、各基体不織布の起毛した部分の繊維間に各高吸収性ポリマーを分散させて固着担持させることができる。第１基体不織布３１の衣類側表面及び第２基体不織布５１の身体側表面を起毛させる方法としては、回転ノコ刃、ニードルパンチが挙げられ、インラインでの生産性やコストの観点から回転ノコ刃により毛羽立たせる方法を用いることが好ましい。
【００２７】
第１基体不織布３１及び第２基体不織布５１としては、例えば、エアスルー不織布、ポイントボンド不織布、スパンボンド不織布、メルトブロー不織布等の不織布や、スパンボンド不織布／メルトブロー不織布、スパンボンド不織布／メルトブロー不織布／スパンボンド不織布を積層した複合不織布を挙げることができる。これらの不織布のうち、嵩高さの得やすいエアスルー不織布を用いることが好ましい。
【００２８】
第１基体不織布３１及び第２基体不織布５１の厚さは、着用感及び吸収性能のバランスの観点から、０．３ｍｍ以上１１．０ｍｍ以下であることが好ましく、２．０ｍｍ以上９．０ｍｍ以下であることがより好ましく、４．０ｍｍ以上９．０ｍｍ以下であることが更に好ましい。また、第１基体不織布３１及び第２基体不織布５１の坪量は、２０ｇ／ｍ２以上２００ｇ／ｍ２以下であることが好ましく、３０ｇ／ｍ２以上１６０ｇ／ｍ２以下であることがより好ましい。
【００２９】
さらに、第１基体不織布３１及び第２基体不織布５１を構成する繊維の太さは、１．６ｄｔｅｘ以上１４．０ｄｔｅｘ以下であることが好ましく、１．８ｄｔｅｘ以上９．０ｄｔｅｘ以下であることがより好ましく、２．０ｄｔｅｘ以上６．０ｄｔｅｘ以下であることが更に好ましい。このように上記の範囲で第１基体不織布３１及び第２基体不織布５１を構成する繊維の太さを調整することにより、各基体不織布の起毛した部分の繊維間に各高吸収性ポリマーを分散させて固着担持しやすくすることができる。
【００３０】
（第１高吸収性ポリマー及び第２高吸収性ポリマー）
第１高吸収性ポリマー３２及び第２高吸収性ポリマー５２としては、尿を吸収し、かつ、逆流を防止できるものであれば特に制限はなく、ポリアクリル酸ナトリウム系、ポリアスパラギン酸塩系、（デンプン−アクリル酸）グラフト共重合体、（アクリル酸−ビニルアルコール）共重合体、（イソブチレン−無水マレイン酸）共重合体及びそのケン化物等の材料から形成されたものを使用することができる。これらの中でも、重量当たりの吸収量の観点から、ポリアクリル酸ナトリウム系が好ましい。また、第１高吸収性ポリマー３２及び第２高吸収性ポリマー５２の坪量は、各種の吸収性物品に要求される吸収性能を確保するために、２００ｇ／ｍ２以上１２００ｇ／ｍ２以下とすることが好ましい。また、吸収性能、吸収後の肌触り及び着用者の動きやすさをより向上させる観点から、第１高吸収性ポリマー３２及び第２高吸収性ポリマー５２の坪量は、３００ｇ／ｍ２以上９００ｇ／ｍ２以下とすることがより好ましい。
【００３１】
また、粉体としての流動性が悪い微粉末を避けることにより、吸収に関する基本性能を高め、かつ、第１吸収体３０及び第２吸収体５０が硬くなることにより発生するごつごつとした触感を低減する観点から、第１高吸収性ポリマー３２及び第２高吸収性ポリマー５２の中位粒子径は、５０μｍ以上６００μｍ以下であることが好ましく、１００μｍ以上５００μｍ以下であることがより好ましい。
【００３２】
第１高吸収性ポリマー３２及び第２高吸収性ポリマー５２が、ホットメルト接着剤により、第１基体不織布３１及び第２基体不織布５１の起毛した部分の繊維間にそれぞれ固着担持されていることが好ましく、各基体不織布の坪量が比較的低い場合（２０ｇ／ｍ２以上１００ｇ／ｍ２以下）に、各高吸収性ポリマーの固着担持を補強するために、ホットメルト接着剤は特に有効に機能する。
【００３３】
なお、第１高吸収性ポリマー３２及び第２高吸収性ポリマー５２の吸収性を阻害せず、かつ、着用時の肌触りを損なわないように、ホットメルト接着剤の含有量は１０ｇ／ｍ２以下であることが好ましく、１ｇ／ｍ２以上８ｇ／ｍ２以下であることがより好ましい。ホットメルト接着剤としては、融点が１００℃以上１８０℃以下の、スチレン−ブタジエン−スチレン系共重合体やスチレン−イソプレン−スチレン系共重合体など合成ゴム系、又は、エチレン−酢酸ビニル共重合体などのオレフィン系のホットメルト接着剤を用いることができる。ホットメルト接着剤の塗布方法としては、ノズルから溶融状態のホットメルト接着剤を非接触式で塗布するカーテンコート法やスパイラル法、接触式で塗布するスロット法など公知の方法が利用できる。
【００３４】
［キャリアシート］
本発明の吸収性物品１は、キャリアシート６０を有していてもよい。キャリアシート６０は、第１吸収体３０及び第２吸収体５０を、一体的に全体を包むように覆っていてもよいし、第１吸収体３０の身体側及び第２吸収体５０の衣類側から一体的に挟持するように覆っていてもよい。
また、第１吸収体３０及び第２吸収体５０を個別に、それぞれの全体を包むように覆っていてもよいし、第１吸収体３０及び第２吸収体５０を、それぞれの上下から挟持するように覆っていてもよい。
【００３５】
このような態様でキャリアシート６０を設けることにより、第１吸収体３０及び第２吸収体５０の形状を維持することができ、加えて、第１高吸収性ポリマー３２及び第２高吸収性ポリマー５２が各吸収体の外へ漏れることを防止することができる。
キャリアシート６０としては、ティシュ、吸収紙、スパンボンド不織布やエアレイド不織布等の親水性不織布を挙げることができ、液拡散性、保水性、コストの観点からティシュを用いることが好ましく、キャリアシート６０の坪量は、強度と装着感の観点から、１０ｇ／ｍ２以上４０ｇ／ｍ２以下とすることが好ましく、１５ｇ／ｍ２以上２０ｇ／ｍ２以下とすることがより好ましい。なお、本実施形態では吸収層をキャリアシート６０で包んだ例について説明したが、吸収層をキャリアシートで包まないで構成することもできる。
【００３６】
［液拡散性シート］
本発明の吸収性物品１では、図２に示すように、第１吸収体３０の上面への体液の拡散を促進するため、トップシート１０と第１吸収体３０との間に、液拡散性シート７０を設ける。斯かる液拡散性シート７０としては、例えば、エアスルー不織布、ポイントボンド不織布、スパンボンド不織布、メルトブロー不織布等の親水性不織布や、スパンボンド／メルトブロー、スパンボンド／メルトブロー／スパンボンドを積層した複合不織布を挙げることができる。液拡散性シート７０の厚さは０．１ｍｍ以上２ｍｍ以下であることが好ましく、その坪量は１５ｇ／ｍ２以上１００ｇ／ｍ２以下であることが好ましい。液拡散性シート７０の形状は、特に制限はないが、尿等の液体がくまなく第１吸収体３０に拡散するよう、第１吸収体３０の身体側表面を完全に覆うことができる形状であることが好ましい。
【００３７】
［立体ギャザー］
吸収性物品１の身体側表面には、立体ギャザー８０が設けられていることが好ましい。この立体ギャザー８０は、トップシート１０とともに体液の閉じ込め空間を形成し、体液の漏れを防止できるようになっている。立体ギャザー８０は、立体ギャザーシートと、立体ギャザーシートの自由端部に沿って配された伸縮性弾性部材と、を備えていることが好ましい。伸縮性弾性部材としては、天然ゴム、合成ゴム、及びポリウレタン等からなる、糸状、紐状、平型形状のものを適宜使用することができる。
【００３８】
＜吸収性物品の製造方法＞
吸収性物品１の製造方法としては、特に限定はなく、従来公知の方法を採用することができ、例えば、衣類側から、バックシート２０、第２吸収体５０、第１吸収体３０、液拡散性シート７０、トップシート１０の順に積層し、トップシート１０とバックシート２０とを一部又は全周に亘ってホットメルト接着剤やヒートエンボス、超音波エンボス、高周波エンボス等を用いて固定することで製造することができる。そして、これを包装シートに個別包装した後、長手方向に３つ折りにして折り畳めばよい。
【００３９】
本発明の実施形態によれば、薄型、軽量であっても、両面吸収であるため、アウターの吸収能力の補完ができる。また、薄型、軽量であるため適宜、複数を重ねて使用しても装着感を損ねることがない。これにより、フラッフパルプを含まない吸収体からなり、薄型で、複数を重ねて使用しても装着感を損ねることがなく、軽量、かつ両面吸収が可能であり、ホットメルトを使わずに起毛した不織布間にＳＡＰを担持させることで、肌に触れる面もＳＡＰによる凹凸の影響を受けにくい、アウターの吸収性能を補完することに優れた両面パッドが得られる。
【００４０】
以上、本発明を、実施形態を用いて説明したが、本発明の技術的範囲は上記の実施形態の範囲には限定されないことは言うまでもなく、上記実施形態に、多様な変更又は改良を加えることが可能であることが当業者に明らかである。また、そのような変更又は改良を加えた形態も本発明の技術的範囲に含まれ得ることが、特許請求の範囲の記載から明らかである。
【符号の説明】
【００４１】
１      吸収性物品
１０    トップシート
２０    バックシート
３０    第１吸収体
３１    第１基体不織布
３２    第１高吸収性ポリマー
５０    第２吸収体
５１    第２基体不織布
５２    第２高吸収性ポリマー
６０    キャリアシート
７０    液拡散性シート
８０    立体ギャザー
【図１】
2020120937.tif 000003
【図２】
2020120937.tif 000004